(57)【特許請求の範囲】
【請求項１】
家屋の軒先に向かって傾斜した大屋根の一部に形成されたドーマの構造であって、
大屋根の頂部或いは当該頂部から軒先に向かって延びる何れかの位置から、当該軒先の方向に延びる屋根と、
所定の位置から前記屋根の軒先に向けて延びる床スラブと、
前記床スラブの終端から鉛直方向に形成され、少なくとも部分的に前記屋根の終端付近に達する前記ドーマの正面壁と、
前記大屋根と前記屋根との間に、軒先に向かって延びる側壁とを備え、
前記ドーマの正面壁と、前記家屋の本体の正面壁とが同一平面上に形成され、
床スラブ、前記ドーマの正面壁、側壁および屋根により画定される空間が最上階の部分として利用でき、かつ、
前記大屋根によって前記軒先に向かって床から天井までの高さが低くなる構造の前記最上階の一階下の階において、前記ドーマが形成された部分では、前記床スラブ、前記ドーマの正面壁および前記側壁により画定される空間が、当該最上階の一階下の拡張部として形成されることを特徴とするドーマの構造。
【請求項２】
前記床スラブが防水構造となっていることを特徴とする請求項１に記載のドーマの構造。
【請求項３】
前記ドーマの正面壁がその上部において空間を有することを特徴とする請求項１または２に記載のドーマの構造。
【請求項４】
前記側壁が、その上部において少なくとも部分的に空間を有することを特徴とする請求項１ないし３の何れか一項に記載のドーマの構造。
【請求項５】
前記空間に窓が形成されたことを特徴とする請求項３または４に記載のドーマの構造。
【請求項６】
前記床スラブ上に浴槽が設けられたことを特徴とする請求項２に記載のドーマの構造。
【請求項７】
前記空間の下端の位置が、前記ドーマの床スラブから少なくとも略８０ｃｍ上部であることを特徴とする請求項６に記載のドーマの構造。
【請求項８】
前記空間の下端の位置が、前記ドーマの床スラブから略１２０ｃｍ上部であることを特徴とする請求項７に記載のドーマの構造
【請求項９】
前記正面壁の上部、および／または、側壁の上部において空間が設けられ、かつ、前記正面壁の下部において欄干が形成され、ルーフバルコニーとして利用可能であることを特徴とする請求項１ないし４の何れか一項に記載のドーマの構造。
【請求項１０】
前記屋根が略平面形状であることを特徴とする請求項１ないし９の何れか一項に記載のドーマの構造。
【請求項１１】
前記屋根の少なくとも部分がガラスにより形成されていることを特徴とする請求項１０に記載のドーマの構造。
【請求項１２】
前記ガラスが前記屋根の始端に向けて、或いは、軒先方向に垂直な方向にスライド可能であることを特徴とする請求項１０に記載のドーマの構造。
【請求項１３】
前記屋根の少なくとも部分にシャッタが形成され、当該シャッタが前記屋根の始端又は終端に向けて、或いは、軒先方向に垂直な方向の何れか一端又は両端に収納可能であることを特徴とする請求項１０に記載のドーマの構造。
【請求項１４】
前記屋根が、一方の側壁近傍に配置されたヒンジにより回動可能な第１の部材と、他方の側壁近傍に配置されたヒンジにより回動可能な第２の部材とを有し、前記ヒンジを中心に、前記第１の部材および第２の部材を回動することにより、前記屋根の少なくとも一部が開放されるように構成されたことを特徴とする請求項１ないし１１の何れか一項に記載のドーマの構造。
【請求項１５】
前記屋根が、一方の側壁近傍に配置されたヒンジにより回動可能な回動部材を有し、前記ヒンジを中心に、前記回動部材を回動することにより、前記屋根の少なくとも一部が開放されるように構成されたことを特徴とする請求項１ないし１１の何れか一項に記載のドーマの構造。
【発明の詳細な説明】
【０００１】
【発明の属する技術分野】
本発明は、ログハウス等の傾斜屋根に形成されるドーマの構造に関する。
【０００２】
【従来の技術】
昔から、傾斜屋根に、採光や換気のためにドーマを配設した建築が知られている。従来のドーマは小規模であり、小屋裏に形成される空間は極めて小さい。したがって、ドーマの正面壁に明かり採りの窓を形成するのが一般的な利用法である。たとえば、実開平３−８４３２４号公報には、前面部材の上部に窓サッシが配置され、明かり採りとして利用できるようなドーマが開示されている。
【０００３】
【発明が解決しようとする課題】
また、上記ドーマを部屋として利用する場合にも、屋根の傾斜等による制約があり、これを実際に居住者が部屋として利用することは容易ではなく、一般的には、物置として利用される場合が多かった。
本発明は、居住スペースや浴室などの多くの用途に利用できるドーマを提供することを目的とする。
【０００４】
【課題を解決するための手段】
本発明の目的は、少なくとも多階層の家屋の軒先に向かって傾斜した大屋根の一部に形成されたドーマの構造であって、大屋根の頂部或いは当該頂部から軒先に向かって延びる何れかの位置から、当該軒先の方向に延びる屋根と、所定の位置から前記屋根の軒先に向けて延びる床スラブと、前記床スラブの終端から鉛直方向に形成され、少なくとも部分的に前記屋根の終端付近に達する正面壁と、前記大屋根と前記屋根との間に、軒先に向かって延びる一対の側壁とを備え、前記床スラブの垂直方向の位置が、前記家屋の本体における屋根の下方に形成される階の部分の天井位置に略対応し、床スラブ、正面壁、側壁および屋根により画定される空間が最上階部分として利用でき、かつ、前記床スラブ、正面壁および床、並びに前記階の部分の床スラブにより画定される空間が、東亜議階の部分の拡張部として利用できることを特徴とするドーマの構造により達成される。
【０００５】
本発明によれば、形成されたドーマの床スラブより上の部分は、たとえば、３階部分、ルーフバルコニーなどとして利用でき、かつ床スラブより下の部分は、２階部分の拡張部として利用できる。すなわち、種々の用途に使える３階部分を設けることができ、かつ、２階部分をより広くすることもできる。無論、3階層の家屋やそれ以上の家屋について本発明を適用しても良い。
【０００６】
本発明の好ましい実施態様においては、前記ドーマの正面壁と、前記家屋の本体の正面壁とが同一平面上に形成されている。
この実施態様によれば、同一平面上に形成することで、ドーマの強度を増すことが可能となる。たとえば、双方の正面壁の背面に沿うように柱を配置すれば、これにより、ドーマの屋根をより強固に支持することが可能となる。
【０００７】
好ましい実施態様においては、床スラブが防水構造となっている。たとえば、床スラブ上に防水シートが形成される。
本発明のより好ましい実施態様においては、ドーマの正面壁がその上部において空間を有している。この空間はそのままにしておいても良いし、或いは、サッシ窓などの窓が形成されても良い。
【０００８】
本発明のさらに好ましい実施態様においては、床スラブ上に浴槽が設けられている。すなわち、ドーマにより得られた３階部分の空間に、浴室を設けることができる。たとえば、上記正面壁に配置された空間から外部の風景等を観ることができ、居住者は露天風呂の雰囲気を楽しむことができる。
【０００９】
上記実施の形態において、空間の下端の位置が、ドーマの床スラブから少なくとも略８０ｃｍ上部であることが望ましい。この程度の高さを有することで、同一平面上に位置する他の２層の家屋から、居住者を見ることが困難となる。したがって、居住者は、他人の目を気にすることなく入浴を楽しむことが可能となる。
本発明の別の実施態様においては、正面壁の上部において空間が設けられ、かつ、前記正面壁の下部において欄干が形成され、ルーフバルコニーとして利用可能である。
【００１０】
また、好ましい実施態様においては、前記屋根が略平面形状であり、これにより、ドーマ内の空間をより大きく確保することが可能となる。なお、屋根は、軒先に向けて若干下方に傾斜していても良いし、若干上方に傾斜していても良い。
さらに好ましい実施態様においては、前記屋根の少なくとも部分がガラスにより形成されている。これにより、ドーマ内部を居住スペースとして利用する場合或いは浴室として利用する場合に、明るさを確保することができ、居住者はより快適さを感じることが可能となる。ガラスは、前記屋根の始端または終端に向けてスライド可能であるのが望ましい。或いは、ガラスは左右双方、或いは、左又は右の何れかにスライドできるのでも良い。
【００１１】
たとえば、ドーマ内部を浴室として利用する場合に、居住者は入浴の際に、ガラスをスライドして、屋根の一部を開放することが可能となる。これにより、ドーマ内を実質的に露天風呂とすることが可能となる。
或いは、屋根の少なくとも部分にシャッタが形成され、当該シャッタが前記屋根の始端に向けて収納可能であるように構成しても良い。或いは、シャッタを左右双方、或いは、左又は右に向けて開くような構造としても良い。
【００１２】
さらに、別の実施態様においては、屋根が、一方の側壁近傍に配置されたヒンジにより回動可能な第１の部材と、他方の側壁近傍に配置されたヒンジにより回動可能な第２の部材とを有し、前記ヒンジを中心に、前記第１の部材および第２の部材を回動することにより、前記屋根の少なくとも一部が開放されるように構成されている。これは手動にてヒンジを中心に回動できるような構成としてもよいし、或いは、モータなどの回転力により、屋根が自動的に回動するようにしても良い。或いは、単一の回動部材が回動することにより屋根の少なくとも一部が開放されるのでも良い。
【００１３】
【発明の実施の形態】
以下、添付図面を参照して、本発明の実施の形態につき説明を加える。図１は、本発明の第一の実施の形態にかかるログハウスの外見を示す略正面図、図２は、その略側面図、図３は、その略平面図である。図４は、その斜視図である。
図１ないし図４に示すように、第１の実施の形態にかかるログハウス１０は、一方の側の大屋根１２に、ドーマ１４が形成されている。本実施の形態においては、大屋根１２は切妻屋根となっている。
【００１４】
ドーマ１４は、正面方向に向けて僅かに下方に傾斜した略平面状の屋根１６、大屋根１４の表面から延びる側壁１８、１８を備えている。また、図１に示すように、ドーマ１４には、その側壁から連なる正面壁２０が設けられている。正面壁２０と屋根１６との間には、空間部２２が形成されている。この空間部２２には、後述するようにサッシ窓のような窓を配置しても良いし、或いは、何ら形成せずにおいても良い。
【００１５】
本実施の形態においては、図２から理解できるように正面壁２０は、ログハウス１０の本体の正面壁２１と同一平面状に形成されている。このような構造を採用することにより、ドーマの強度を高めることが可能となる。たとえば、本体の正面壁２１の背部から屋根１６を通ってドーマの正面壁２０の背部（或いはさらに屋根１６の下面や梁）に達する補強用の柱を配設することも可能である。本実施の形態にかかるドーマ１４が形成されたログハウス１０の本体につき、簡単に説明を加える。本実施の形態においては、ログハウス１０には、１階部分（符号Ｆ１参照）と、２階部分（符号Ｆ２参照）とが形成されている。１階部分は、略２．５ｍの高さを備え、２階部分は、後述する３階部分の床スラブまで略２ｍの高さを備えている。したがって、１階部分および２階部分とも、居住者が活動するための十分な高さが確保されている。また、ドーマ１４において、３階部分の床スラブ２４より下の空間（符号２６参照）は、２階部分として利用することができる。さらに、本実施の形態においては、ドーマ１４内部の空間についても、略２ｍの高さが確保される。
【００１６】
また、図１に示すように、床スラブ２４の下部には、小梁２５、２５が配置されている。図示しないが、床スラブ２４の下部には、小梁２５、２５と垂直方向に大梁も配置されている。
【００１７】
図５は、第１の実施の形態にかかるドーマおよびその周辺の拡大略側面図である。第１の実施の形態においては、このドーマに浴槽を配置して、露天風呂として利用できるようにしている。より詳細には、図５に示すように、ドーマ３０内は、浴室３０が作られ、床スラブ２４には、たとえば、シートなどを利用した防水処理が施された上、浴槽３２が配置されている。
本実施の形態においては、正面壁２０と屋根１４の下面との間には、サッシ窓２２が設けられている。また、ドーマの背面側には、背面壁３４が形成されている。したがって、正面壁２０、側壁１８、１８および背面壁３４により、浴室３０が画定されるようになっている。
【００１８】
また、床スラブ２４の上面から正面壁２０の上端までの高さが、略８０ｃｍに設定されている。つまり、一階部分の床スラブから、正面壁の上端までは、略５．２ｍ程度になる。したがって、居住者が入浴している際に、サッシ窓２２を介して外の景色を見ようと、正面壁２０の内側にて立ち姿勢で接近した場合であっても、同じレベルで建てられた他のログハウスや家屋の２階から、他人がログハウス１０の浴室側を見ても、居住者の顔程度しか見ることができない。そのため、居住者は、他人の目を気にすることなく入浴を楽しむことが可能となる。上記８０ｃｍにしておくことで、入浴者もよくそうに入った状態で、十分に外の景色を楽しむことができる。浴室側のプライバシーをより確実に守るのであれば、前記１２０ｃｍ程度にすればよい。
【００１９】
また、図５から理解できるように、ドーマにより確保された３階部分（つまり浴室３０）の下部の空間２６は、２階部分の拡大部となる。本実施の形態においては、大屋根１２により、２階部分においては、正面および背面の縁部に近づくのにしたがって床から天井までの高さが低くなっている。しかしながら、ドーマの下部の空間２６においては、天井の高さを一定に確保することができる。これにより、２階部分の居住スペースをより広く確保することが可能となる。
【００２０】
第１の実施の形態においては、屋根１４は、大屋根１２と同様にスレートなどを利用して形成したが、第２の実施の形態においては、部分的に開閉自在なガラスを利用している。図６は、第２の実施の形態にかかるドーマ１００を備えたログハウスの斜視図である。第２の実施の形態において、第１の実施の形態と同様の部材には、同一の符号を付している。
【００２１】
図６に示すように、第２の実施の形態にかかるドーマ１００も、正目方向に向けて僅かに下方に傾斜した屋根１１６、側壁１８、１８、正面壁２０を備えている。また、正面壁２０の上端と屋根１１６の下面との間には、サッシ窓２２が取り付けられている。
【００２２】
第２の実施の形態においては、屋根１１６には、その正面側に、矢印Ａ方向に移動可能なグラスルーフ１１９が設けられている。したがって、居住者が入浴の際や、浴室を乾燥させたい場合には、上記グラスルーフ１１９を矢印Ａ方向に移動させて、浴室の上部を開放することができる。これにより、居住者は入浴の際により開放感を感じることができ、また、浴室を迅速に乾燥させることが可能となる。
このように第２の実施の形態によれば、ドーマの屋根の少なくとも一部分にグラスルーフを形成したため、当該ドーマ内部（この場合には浴室）の開放感を著しく高めることができる。
【００２３】
次に、本発明の第３の実施の形態につき説明を加える。第２の実施の形態においては、ドーマ１００の屋根１１６の正面側にグラスルーフ１１９を配置したが、第３の実施の形態においては、図７に示すように、その代わりに、屋根２１６の正面側に、矢印Ｂ方向に移動させて屋根２１６の背面側下面に収納可能なシャッタ２１９を配置している。この実施の形態において、シャッタ２１９を開放した際の、浴室の開放感をより高めるために、正面壁２０と屋根の下面との間（符号２２２参照）に、サッシ窓を配置せず開放しておいても良い。
【００２４】
第１の実施の形態においては、ドーマの屋根、側壁および正面壁、並びに、床スラブにて画定される空間を浴室として利用しているが、これに限定されるものではない。たとえば、ドーマ内の空間を、３階部分の居住スペース或いはサンルームとして利用しても良い。
また、これをルーフバルコニーとして利用することも可能である。この場合には、正面壁において部分的に欄干および手摺を形成しても良い。
【００２５】
本発明は、以上の実施の形態に限定されることなく、特許請求の範囲に記載された発明の範囲内で、種々の変更が可能であり、それらも本発明の範囲内に包含されるものであることは言うまでもない。
たとえば、前記実施の形態においては、ドーマの屋根は略平面形状であった。これは、平面形状とすることで、ドーマ内部の空間をより広く確保することができる。しかしながら、これに限定されるものではなく、屋根の正面側断面形状が三角形のもの、或いは、台形のもの（図８参照）。たとえば、図８のような形状にした場合であっても、屋根４１６の略平面上の部分（符号４１７参照）を大きめに確保することで、居住スペース自体をそれほど犠牲にすることなく、より趣味性の高いドーマの形成することが可能である。
【００２６】
また、ドーマの正面側の幅についても、前記実施の形態のものに限定されない。正面側の幅を広くすることで、より大きなスペースを得ることが可能となる。また、ドーマの屋根の開始位置も、大屋根の頂部に限定されるものではなく、大屋根の任意の位置にして良いことは言うまでもない。
さらに、前記第２、第３の実施の形態において、ドーマの屋根には、背面方向にスライド或いは収容可能なガラスやシャッタを形成したが、このようなものに限定されない。たとえば、左右方向にスライド可能なガラス窓、観音開きの形態のガラス窓等が形成されても良い。或いは、取り外し可能なパネルを利用しても良い。また、上下の一方或いは左右の一方にスライド可能なガラス窓やシャッタを利用しできることも言うまでもない。
【００２７】
さらに、図９に示すように、屋根５１６が、第１の部材５１８と第２の部材５２０とを有し、それぞれ側壁の近傍にてヒンジ（図示せず）にて回動自在に取り付けられ、ヒンジを中心にこれら部材５１８、５２０をそれぞれ回動させることにより、屋根５１６の少なくとも一部を開放できるように構成しても良い（図９の破線参照）。
【００２８】
さらに、ドーマの屋根が三角形のものに関して、図１０に示すように、屋根６１６が、第１の部材６１８と第２の部材６２０とを有し、これが側壁近傍に設けられたヒンジにより回動自在に構成されていても良い。これにより、屋根６１６を開放することが可能となる（図１０の破線参照）。或いは、何れか一方の部材がヒンジ（図示せず）により回動可能であるように構成しても良い。
さらに、正面壁の上部（符号６２２参照）についても、その下端を、正面壁の下部６２４の上端に設けられたヒンジ（図示せず）が回動可能に構成し、上部６２２が前方に回動可能であるように構成しても良い。正面壁の下部６２４についても同様に、下端を中心に前方に回動可能に構成しても良い。
【００２９】
また、前記実施の形態においては、ログハウスの大屋根にドーマを形成したが、これに限定されるものではない。大屋根の傾斜が大きく、或いは、大屋根の始端から軒先までの距離が大きなものであれば、一般の家屋に、本発明にかかるドーマを形成することができる。また、ドーマをユニット化して、ユニット化された大屋根の一部に配置することも可能となる。
たとえば、ユニット化したドーマを形成する場合に、ドーマ内部の空間をより大きく確保するために、ドーマの床スラブが大屋根から突出する場合も考えられる。このような場合には、床スラブの正面側端部を、たとえば、家屋の本体の正面壁背部に沿って、大屋根を貫通するように立てられた柱により支持するような構造とするのが望ましい。
【００３０】
さらに、本発明は、ログハウスに限定されるものではなく、一般の木造家屋、鉄筋コンクリート家屋、ＲＣ躯体を利用した家屋にも適用できる。また、ドーマを3階部分に形成することに限定されないことは明らかであり、３階層以上の家屋についても、或いは、平屋建ての家屋についても本発明を適用できることは言うまでもない。
なお、本明細書において、一つの手段の機能が、二つ以上の物理的手段により実現されても、若しくは、二つ以上の手段の機能が、一つの物理的手段により実現されてもよい。
【００３１】
【発明の効果】
本発明によれば、居住スペースや浴室などの多くの用途に利用できるドーマを提供することが可能となる。
また、本発明によれば、たとえば、２階部分の居住スペースをより広く確保することが可能となる。
【図面の簡単な説明】
【図１】  図１は、本発明の第１の実施の形態にかかるログハウスの外見を示す略正面図である。
【図２】  図２は、第１の実施の形態にかかるログハウスの略側面図である。
【図３】  図３は、第１の実施の形態にかかるログハウスの略平面図である。
【図４】  図４は、第１の実施の形態にかかるログハウスの斜視図である。
【図５】  図５は、第１の実施の形態にかかるドーマおよびその周辺の部分断面図である。
【図６】  図６は、第２の実施の形態にかかるドーマを備えたログハウスの斜視図である。
【図７】  図７は、第３の実施の形態にかかるドーマを備えたログハウスの斜視図である。
【図８】  図８は、本発明にかかる他の形状のドーマを備えたログハウスの斜視図である。
【図９】  図９は、本発明にかかるさらに他の形状のドーマを備えたログハウスの斜視図である。
【図１０】  図１０は、本発明にかかるさらに他の形状のドーマを備えたログハウスの略正面図である。
【符号の説明】
１０      ログハウス
１２      大屋根
１４      ドーマ
１６      屋根
１８      側壁
２０      正面壁
２１      ログハウス本体の正面壁
２２      空間部
２４      床スラブ
２５      小梁
【図１】
0004758015.tif 000002
【図２】
0004758015.tif 000003
【図３】
0004758015.tif 000004
【図４】
0004758015.tif 000005
【図５】
0004758015.tif 000006
【図６】
0004758015.tif 000007
【図７】
0004758015.tif 000008
【図８】
0004758015.tif 000009
【図９】
0004758015.tif 000010
【図１０】
0004758015.tif 000011